(57)【要約】【課題】ユーザがマニュアル等を参考にしなくとも簡単に操作が行なえるデジタルカメラを提供する。【解決手段】操作部１３のヘルプキーを押すと（Ｓ１）、例えば分割撮影時に押された場合は、チェックボックスの使い方の項目のマニュアルデータの該当部がＬＣＤ表示部１０に表示される（Ｓ２）。そのときのＬＣＤ表示部１０の表示画面例を３０に示す。これは分割撮影された画像の上に（チェックボックス）の使い方として内容が表示される。また、例えば、日時設定時に押されると、スピンボックスの使い方の説明文がＬＣＤ表示部１０に表示される（Ｓ３）。そのときのＬＣＤ表示部１０の表示画面例を３１に示す。これは日時設定画面の上に（スピンボックス）の使い方として内容が表示される。そして、キャンセルキーを押すか、５秒以上操作が無ければ（Ｓ４）、ヘルプモードを抜ける（Ｓ５）。【選択図】　　　図２
2004128820.tif 000002
【特許請求の範囲】
【請求項１】
メモリに記憶されたマニュアルデータに基づいてヘルプ内容を表示するデジタルカメラであって、
前記デジタルカメラの各種モードを選択するモード選択手段と、前記マニュアルデータを記憶するマニュアルデータ記憶手段と、前記デジタルカメラの操作手順及び前記マニュアルデータの内容を表示する表示部と、を備え、
前記モード選択手段により当該デジタルカメラの操作説明を要求するヘルプモードを選択した場合、前記マニュアルデータ記憶手段に記憶されたマニュアルデータに基づいて前記表示部に現在の状態における操作説明を表示することを特徴とするデジタルカメラ。
【請求項２】
前記マニュアルデータ記憶手段は、前記デジタルカメラに内蔵された内蔵メモリの記憶領域の一部若しくは全部であることを特徴とする請求項１に記載のデジタルカメラ。
【請求項３】
外部の入出力機器とのデータの授受を行うＩ／Ｏインターフェース部を備え、前記マニュアルデータ記憶手段に記憶されたマニュアルデータを前記Ｉ／Ｏインターフェース部を介して外部のパーソナルコンピュータに移植することにより、前記内蔵メモリのマニュアルデータ記憶領域を画像記録領域として使用することを特徴とする請求項１又は２に記載のデジタルカメラ。
【請求項４】
メモリに記憶されたマニュアルデータに基づいてヘルプ内容を表示するデジタルカメラであって、
前記デジタルカメラの各種モードを選択するモード選択手段と、前記デジタルカメラの操作手順及び前記マニュアルデータの内容を表示する表示部と、当該デジタルカメラの制御プログラム及びマニュアルデータを記憶するＲＯＭと、を備え、
前記モード選択手段によりヘルプモードが選択された場合、前記ＲＯＭに記憶されているマニュアルデータに基づいて前記表示部に現在の状態における操作説明を表示することを特徴とするデジタルカメラ。
【請求項５】
前記ＲＯＭに記憶されているマニュアルデータを、パソコン上にコピーすることが可能な構成であることを特徴とする請求項４に記載のデジタルカメラ。
【請求項６】
メモリに記憶されたマニュアルデータに基づいてヘルプ内容を表示するデジタルカメラであって、
該デジタルカメラの各種モードを選択するモード選択手段と、前記デジタルカメラの操作手順及び前記マニュアルデータの内容を表示する表示部と、外部のメモリカードとのデータの授受を行なうメモリカードインターフェース部と、外部の入出力機器とのデータの授受を行うＩ／Ｏインターフェース部と、を備え、
前記メモリカードインターフェース部に接続されたメモリカード、若しくは前記Ｉ／Ｏインターフェース部に接続された入出力機器から取得したマニュアルデータを、内蔵メモリにコピーすることにより、前記モード選択手段によりヘルプモードが選択された場合、前記内蔵メモリに記憶されているマニュアルデータに基づいて前記表示部に現在の状態における操作説明を表示することを特徴とするデジタルカメラ。
【請求項７】
各種操作キーを有する操作部に前記モード選択手段によりヘルプモードを選択するヘルプハードキーを備え、他の操作キーを押しながら前記ヘルプキーを押すことにより、同時に押した他の操作キーについての使用説明を前記表示部に表示することを特徴とする請求項１乃至６の何れか一項に記載のデジタルカメラ。
【請求項８】
前記他の操作キーを押しながら前記ヘルプキーを押すことにより、前記モード選択手段によりヘルプモードに入った場合、同時に押した他の操作キーについての使用説明と同時に該当する操作キーを点灯若しくは点滅することを特徴とする請求項１乃至６の何れか一項に記載のデジタルカメラ。
【発明の詳細な説明】
【０００１】
【発明の属する技術分野】
本発明は、デジタルカメラに関し、さらに詳しくは、デジタルカメラのヘルプモード操作に関するものである。
【０００２】
【従来の技術】
近年、電子機器の使用説明書、所謂、マニュアルは機器の機能が増加するに従ってその量が増加し、マニュアルだけでも数冊の本として機器に同梱していた。しかし、省資源化や梱包材の増加を抑制するために、現在ではこれらのデータを電子化してＣＤ−ＲＯＭに収めて同梱している。特にカメラの場合本体が小さいので、更にその要求が厳しくなる。
そこで従来技術として、特開平５−４６２９８号公報には、ユーザがマニュアル等を参考にしなくとも簡単に操作が行なえる電子機器について開示されている。それによると、文書作成中に所定キーを入力することにより、表示部に装置が有する全ての機能概略及びその例示イラストをインストラクション画面記憶部より読出し表示すると共に、更に上記各機能を詳細に説明したガイダンスも画面上に表示できるとしている。
【特許文献１】特開平５−４６２９８号公報
【０００３】
【発明が解決しようとする課題】
しかしながら、特許文献１は表示部に装置が有する全ての機能概略及びその例示イラストを表示するものであり、あくまでもマニュアルを参考にして操作することには変わりなく、マニュアルから操作内容を検索したり操作内容を把握するまでに多大の時間と労力を要するといった問題がある。
本発明は、かかる課題に鑑み、ユーザがマニュアル等を参考にしなくとも簡単に操作が行なえるデジタルカメラを提供することを目的とする。
【０００４】
【課題を解決するための手段】
本発明はかかる課題を解決するために、請求項１は、メモリに記憶されたマニュアルデータに基づいてヘルプ内容を表示するデジタルカメラであって、前記デジタルカメラの各種モードを選択するモード選択手段と、前記マニュアルデータを記憶するマニュアルデータ記憶手段と、前記デジタルカメラの操作手順及び前記マニュアルデータの内容を表示する表示部と、を備え、前記モード選択手段により当該デジタルカメラの操作説明を要求するヘルプモードを選択した場合、前記マニュアルデータ記憶手段に記憶されたマニュアルデータに基づいて前記表示部に現在の状態における操作説明を表示することを特徴とする。
操作を説明するマニュアルは、ユーザにとって必要であるが、内容がわかりにくく、どこを参照すればよいか判然としない場合が多い。そこで本発明では、マニュアルをカメラ本体のメモリ内に記憶し、ヘルプモードを選択したときにメモリから内容を読み出して表示部に表示する。さらに、表示する内容は現在の状態における操作説明を表示するようにして、不要な情報を削除して必要最小限の内容とすることにより、ユーザの要求に迅速に応えるものである。
かかる発明によれば、マニュアルの内容をカメラのメモリに記憶して、要求があった場合に現在の状態における操作説明を表示するので、ユーザ要求に対して迅速に対応することができ、しかも、マニュアルの検索が不要となる。
請求項２は、前記マニュアルデータ記憶手段は、前記デジタルカメラに内蔵された内蔵メモリの記憶領域の一部若しくは全部であることを特徴とする。
マニュアルはいつ必要になるか解らないので、ユーザの要求に対して常に対応できる体制が必要である。そのためには、マニュアルの内容をカメラ内部のメモリ（内蔵メモリ）に記憶することが好ましい。
かかる発明によれば、マニュアルをカメラの内蔵メモリに記憶するので、如何なる時でも必要なときにユーザはマニュアルを参照することができる。
【０００５】
請求項３は、外部の入出力機器とのデータの授受を行うＩ／Ｏインターフェース部を備え、前記マニュアルデータ記憶手段に記憶されたマニュアルデータを前記Ｉ／Ｏインターフェース部を介して外部のパーソナルコンピュータに移植することにより、前記内蔵メモリのマニュアルデータ記憶領域を画像記録領域として使用することを特徴とする。
内蔵メモリに記憶するマニュアルは、内蔵メモリの所定のメモリ領域を占有する。しかも、マニュアルを参照する機会はユーザが操作に習熟すれば更に少なくなる。しかも、内蔵メモリはカメラを使用中は常に稼動し、画像を蓄積するために多くのメモリ領域を必要とする。そのような理由から本発明では、内蔵メモリ内のマニュアルを外部のパーソナルコンピュータに移植して、空いたメモリ領域を本来の画像記録領域として使用するものである。
かかる発明によれば、内蔵メモリ内のマニュアルを外部のコンピュータに移植してメモリ領域を空けるので、カメラ本体のメモリ領域が増加して使用範囲が拡大する。
請求項４は、メモリに記憶されたマニュアルデータに基づいてヘルプ内容を表示するデジタルカメラであって、前記デジタルカメラの各種モードを選択するモード選択手段と、前記デジタルカメラの操作手順及び前記マニュアルデータの内容を表示する表示部と、当該デジタルカメラの制御プログラム及びマニュアルデータを記憶するＲＯＭと、を備え、前記モード選択手段によりヘルプモードが選択された場合、前記ＲＯＭに記憶されているマニュアルデータに基づいて前記表示部に現在の状態における操作説明を表示することを特徴とする。
マニュアルデータは読み出し専用のデータである。また、カメラの制御プログラムも同様に読み出し専用であり、しかも、内容を変更されると不都合なデータである。従って、一般には読み出し専用のＲＯＭに記憶されている。そこで本発明では、これらのデータを同じＲＯＭに記憶領域を分けて記憶して、ヘルプモードが起動されたときにはじめてＲＯＭ内のマニュアルデータを読み出すものである。そのとき内蔵メモリに一時的に記憶される内容は、一部のデータである。
かかる発明によれば、マニュアルデータを制御プログラムを格納した同じＲＯＭ内に記憶するので、画像データを記憶する内蔵メモリのメモリ領域の使用を最小限とすることができる。
【０００６】
請求項５は、前記ＲＯＭに記憶されているマニュアルデータを、パソコン上にコピーすることが可能な構成であることを特徴とする。
ユーザがマニュアルの内容を見たい場合がある。そこで本発明では、カメラにパソコンとのインターフェースを設け、それを介してＲＯＭ内のマニュアルデータを読み出してパソコンにコピーする構成とした。
かかる発明によれば、ＲＯＭ内のマニュアルデータを外部のパソコンにコピーすることができるので、ユーザがマニュアルを見たいときに自由に見ることができる。
請求項６は、メモリに記憶されたマニュアルデータに基づいてヘルプ内容を表示するデジタルカメラであって、該デジタルカメラの各種モードを選択するモード選択手段と、前記デジタルカメラの操作手順及び前記マニュアルデータの内容を表示する表示部と、外部のメモリカードとのデータの授受を行なうメモリカードインターフェース部と、外部の入出力機器とのデータの授受を行うＩ／Ｏインターフェース部と、を備え、前記メモリカードインターフェース部に接続されたメモリカード、若しくは前記Ｉ／Ｏインターフェース部に接続された入出力機器から取得したマニュアルデータを、内蔵メモリにコピーすることにより、前記モード選択手段によりヘルプモードが選択された場合、前記内蔵メモリに記憶されているマニュアルデータに基づいて前記表示部に現在の状態における操作説明を表示することを特徴とする。
マニュアルデータは、外部のパソコンかメモリカードに記憶された内容から取得することができる。このように、何らかの方法により取得したマニュアルデータをカメラの内蔵メモリに記憶して、ヘルプモードが発生すると内蔵メモリからマニュアルデータを読み出して表示する。
かかる発明によれば、何らかの方法により取得したマニュアルデータをカメラの内蔵メモリに記憶するので、ヘルプモードが必要なときだけ内蔵メモリを使用して、内蔵メモリの使用効率を高めることができる。
【０００７】
請求項７は、各種操作キーを有する操作部に前記モード選択手段によりヘルプモードを選択するヘルプハードキーを備え、他の操作キーを押しながら前記ヘルプキーを押すことにより、同時に押した他の操作キーについての使用説明を前記表示部に表示することを特徴とする。
ヘルプモードはユーザが現在使用している状態で使用方法がわからなくなる場合が多い。そこで本発明では、操作部にヘルプハードキーを備え、現在操作している操作キーを押しながらヘルプハードキーを押した場合、同時に押された操作キーに関するヘルプと見なして、それに関する使用説明を表示する。
かかる発明によれば、操作キーと同時にヘルプハードキーを押すと、操作キーに関する使用説明が表示されるので、現在使用中の操作に関する不明点を即座に解消することができる。
請求項８は、前記他の操作キーを押しながら前記ヘルプキーを押すことにより、前記モード選択手段によりヘルプモードに入った場合、同時に押した他の操作キーについての使用説明と同時に該当する操作キーを点灯若しくは点滅することを特徴とする。
請求項７でヘルプハードキーと同時に押された操作キーの説明が表示されるが、ユーザはどの説明か解らない場合がある。そこで本発明では、使用説明に該当する操作キーを説明と同時に点灯若しくは点滅するようにする。
かかる発明によれば、操作キーの説明と同時にその操作キーを点灯若しくは点滅するので、ユーザに更に理解を促すことができる。
【０００８】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態に係るデジタルカメラの構成を示すシステムブロック図である。このデジタルカメラは、被写体からの光画像を集光する撮影レンズ部１と、光画像を光電変換する撮像素子であるＣＣＤ部（またはＭＯＳ型撮像素子）２と、映像信号をアナログ信号からディジタル信号に変換した後、各種画像処理を行うカメラ画像処理部３と、被写体を目視して撮影画角を決定するファインダ部５と、撮影した静止画像のＪｐｅｇ及び文字モード画像２値画像の圧縮／伸張及びＡＶＩ等の動画の圧縮／伸張処理を行う画像圧縮／伸張部６と、外部記憶媒体とのデータの授受を仲介するメモリカードＩ／Ｆ部７と、外部ストレージメモリカード　コンパクトフラッシュ（登録商標）／スマートメディアなどの記憶媒体８と、ファイルを記憶する記憶媒体９と、画像データ、操作内容、ヘルプ画像等が表示されるＬＣＤ表示部１０と、ＬＣＤ表示部１０を制御するＬＣＤ制御部１１と、カメラ全体の制御を司るＣＰＵ部１２と、シャッターやモードダイヤルや上下キー等の操作を行う操作部１３と、何のキーが押下されたかどうかの信号が通知される信号入力部１４と、プログラムを始め各種システムパラメタの保存やワーキング領域、処理画像の保管場所のメモリ部１５と、被写体を照射するストロボ部１７と、外部の入出力機器とのデータの授受を仲介するＩ／Ｏインターフェース部１９と、カメラの制御プログラムを格納するプログラムＲＯＭ部２０と、ズーム等のメーカ制御部が含まれるメーカ駆動部２１と、マイクで集音された音声を所定のフォーマットに従い音声圧縮の処理を行う音声処理部２２と、マイク、スピーカ等の音声入力出力機器２３と、操作用メニューなどを多重表示するＯＳＤ（Ｏｎ　Ｓｃｒｅｅｎ　Ｄｉｓｐｌａｙ）部２４と、各部に必要な電力を供給する電源部２５と、ハードキーの使用を知らせるための表示用としてのＬＥＤ２６から構成されている。
【０００９】
次に、本デジタルカメラの概略動作について説明する。ユーザはＬＣＤ表示部１０を見ながらシャッターを押す機会を待つ。操作部１３の一部であるシャッターが押されると信号入力部１４を介して、ＣＰＵ部１２に信号を送り、プログラムに従ってカメラ画像処理部３で処理された画像信号を画像圧縮／伸張部６で画像を定まった圧縮方式で圧縮する。同時にストロボの必要があればストロボ部１７にてストロボを焚く。圧縮されたデータは、ファイルとしてメモリ部１５にて蓄積され、記録媒体９もしくは、メモリカードＩ／Ｆ部７に挿入されている記録媒体８（外部ストレージメモリカード　コンパクトフラッシュ（登録商標）／スマートメディアなど）にファイルとして記録される。ＬＣＤ／パネル制御部１１は表示用の画像メモリやＬＣＤ表示部１０をドライブする機能を持つ。ＬＣＤ表示部１０は、撮影には各種モードの表示あるいは、モニタリング画面の表示等を行い、再生時には撮影映像ファイルの表示やサムネイル表示を行う。
また、シャッターやモードダイヤルや上下キー等の操作部１３は、キーを押下することで信号入力部１４に何のキーが押下されたかどうかの信号が通知され、ＣＰＵ部１２に通知され、所定のプログラムに従って動作する。ストロボ部１７はストロボを発光させるのに必要なコンデンサ等の機能を持つ。また、撮影した画像を蓄積するためのコンパクトフラッシュ（登録商標）、ＳＤカード、スマートメディアなどの外部ストレージのメモリカードと接続するメモリカードＩ／Ｆ７を持つ。
メーカ駆動部２１はズーム等のメーカ制御部が含まれる。音声処理部２２はマイクで集音された音声を音声処理部２２で所定のフォーマットに従い音声圧縮の処理を行い、メモリ部１５やメモリカード等に蓄積される。ファイルには、ＪＰＥＧで圧縮された画像が格納されているが、ヘッダー部には実画像の格納場所、長さ、画素数、輝度等の画像情報、メーカが自由に使用できるメーカコード、撮影者名、撮影日付などの領域がある。ヘッダーの領域に認識処理の結果を格納するエリアを設ける。デジタルカメラには、撮影を促す状態の通常撮影モード、撮影したものをＬＣＤ表示部１０に表示する再生モード、撮影した画像をＰＣに転送するためのＰＣ接続モードがある。
【００１０】
次に、撮影した場合のシーケンスの例について説明する。撮影モードでスタートすると、撮影レンズ部１より集光した映像はリアルタイムにＬＣＤ表示部１０にて表示される。撮影者は、モニタリングの画像を見ながら、シャッターを押す機会を待つ。操作部の一部であるレリーズキーを押下する。オートフォーカスの処理をしてサムネイル用の画像データを作成する、その後ＬＣＤ表示部１０に撮影した映像を所定の時間表示するレックレビュー処理に入る。その後、主画像データを取得する。また、ＬＥＤ２６はＡＦＬＥＤとストロボＬＥＤでそれぞれフォーカス状態とストロボ状態を示すことができる。音声入力出力機器２３は音声再生を行うことが出来る。
図２は本発明の第１の実施形態の動作を示すフローチャートである。操作部１３のヘルプキーを押すと（Ｓ１）、例えば分割撮影時に押された場合は、チェックボックスの使い方の項目のマニュアルデータの該当部がＬＣＤ表示部１０に表示される（Ｓ２）。そのときのＬＣＤ表示部１０の表示画面例を３０に示す。これは分割撮影された画像の上に（チェックボックス）の使い方として内容が表示される。また、例えば、日時設定時に押されると、スピンボックスの使い方の説明文がＬＣＤ表示部１０に表示される（Ｓ３）。そのときのＬＣＤ表示部１０の表示画面例を３１に示す。これは日時設定画面の上に（スピンボックス）の使い方として内容が表示される。そして、キャンセルキーを押すか、５秒以上操作が無ければ（Ｓ４）、ヘルプモードを抜ける（Ｓ５）。
図３は、本発明の第２の実施形態の動作を示すフローチャートである。画質キーを押しながら操作部１３のヘルプキーを押すと（Ｓ１０）、例えば画質モードに該当するマニュアルデータの該当部がＬＣＤ表示部１０に表示される（Ｓ１１）。そのときのＬＣＤ表示部１０の表示画面例を３２に示す。そして、キャンセルキーを押すか、５秒以上操作が無ければ（Ｓ１２）、ヘルプモードを抜ける（Ｓ１３）。
【００１１】
図４は、本発明の第３の実施形態の動作を示すフローチャートである。操作部１３のヘルプキーを押すと（Ｓ２０）、例えばマニュアルデータ説明文を操作キーにて送り、例えばＬＣＤモニター画面はマクロ撮影の説明文が表示されると、実際のマクロキーが点灯する（Ｓ２１）。そのときのＬＣＤ表示部１０の表示画面例を３３に示す。画面上にはマクロ撮影の説明文が表示され、３４のように実際のマクロキーのＬＥＤが点灯する。そして、キャンセルキーを押すか、５秒以上操作が無ければ（Ｓ２２）、ヘルプモードを抜ける（Ｓ２３）。
図５は、本発明の第４の実施形態の動作を示すフローチャートである。内蔵メモリへのマニュアルデータをコピーするフローである。先ず、メニュー画面にてコピー機能を選択し（Ｓ２５）、画像ファイル／マニュアルデータからマニュアルデータを選択する（Ｓ２６）。その後　カード→内蔵／内蔵→カードからカード→内蔵を選択し実行することにより（Ｓ２７）、内蔵メモリにマニュアルデータがコピーされる（Ｓ２８）。逆に内蔵メモリ→カードを選択してカードにマニュアルデータをコピーすることにより、カードリーダーを利用してパソコン上にマニュアルデータをコピーすることが出来る。
図６は、本発明の第５の実施形態の動作を示すフローチャートである。内蔵メモリのマニュアルデータの削除フローである。先ず、削除キーを押し（Ｓ３０）、選択ファイル削除／全ファイル削除／１ファイル削除／マニュアルデータ削除からマニュアルデータ削除を選択し（Ｓ３１）、内蔵／カードから内蔵を選択し実行することにより（Ｓ３２）、内蔵メモリのマニュアルデータが削除される（Ｓ３３）。
【００１２】
【発明の効果】
以上記載のごとく請求項１の発明によれば、マニュアルの内容をカメラのメモリに記憶して、要求があった場合に現在の状態における操作説明を表示するので、ユーザ要求に対して迅速に対応することができ、しかも、マニュアルの検索が不要となる。
また請求項２では、マニュアルをカメラの内蔵メモリに記憶するので、如何なる時でも必要なときにユーザはマニュアルを参照することができる。
また請求項３では、内蔵メモリ内のマニュアルを外部のコンピュータに移植してメモリ領域を空けるので、カメラ本体のメモリ領域が増加して使用範囲が拡大する。
また請求項４では、マニュアルデータを制御プログラムを格納した同じＲＯＭ内に記憶するので、画像データを記憶する内蔵メモリのメモリ領域の使用を最小限とすることができる。
また請求項５では、ＲＯＭ内のマニュアルデータを外部のパソコンにコピーすることができるので、ユーザがマニュアルを見たいときに自由に見ることができる。
また請求項６では、何らかの方法により取得したマニュアルデータをカメラの内蔵メモリに記憶するので、ヘルプモードが必要なときだけ内蔵メモリを使用して、内蔵メモリの使用効率を高めることができる。
また請求項７では、操作キーと同時にヘルプハードキーを押すと、操作キーに関する使用説明が表示されるので、現在使用中の操作に関する不明点を即座に解消することができる。
また請求項８では、操作キーの説明と同時にその操作キーを点灯若しくは点滅するので、ユーザに更に理解を促すことができる。
【図面の簡単な説明】
【図１】本発明の実施形態に係るデジタルカメラの構成を示すシステムブロック図である。
【図２】本発明の第１の実施形態の動作を示すフローチャートである。
【図３】本発明の第２の実施形態の動作を示すフローチャートである。
【図４】本発明の第３の実施形態の動作を示すフローチャートである。
【図５】本発明の第４の実施形態の動作を示すフローチャートである。
【図６】本発明の第５の実施形態の動作を示すフローチャートである。
【符号の説明】
１　撮影レンズ部、２　ＣＣＤ、３　カメラ画像処理部、６　画像圧縮／伸張部、７メモリカードインターフェース部、８　記憶媒体、１０　ＬＣＤ表示部、１２　ＣＰＵ、１３　操作部、１５　メモリ部、２０　プログラムＲＯＭ部
【図１】
2004128820.tif 000003
【図２】
2004128820.tif 000004
【図３】
2004128820.tif 000005
【図４】
2004128820.tif 000006
【図５】
2004128820.tif 000007
【図６】
2004128820.tif 000008